(57)【要約】      （修正有）【課題】既設の墓所設備をできるだけ活用して、墓参時に身体的弱者にかかる負担が軽減されるような形態に墓所設備を改修する方法を提供する。【解決手段】墓所設備の改修を、墓域正面左右の門柱を撤去するとともに、墓参用の階段を撤去して、祭壇の正面に基礎コンクリートから成る正面広場となるスペース２４を確保する第１工程、納骨室左右両側面の部分を撤去し、正面広場に通じる後部空所２３Ｌ、２３Ｒを得る第２工程、納骨室正面の前板を撤去したのち、左右の外柵に達する左右方向の幅を有する仕切り材２６と交換し、それにより正面広場となるスペースと後部空所とを区画する第３工程、外柵１７Ｌ、１７Ｒとほぼ同程度に狭幅の部材を用いて、墓域正面左右の外柵に門柱を設置し、かつ、正面広場となるスペースに敷石を張り付ける仕上げのための第４工程を経て施工する。【選択図】図４
2014084693.tif 000002
【特許請求の範囲】
【請求項１】
納骨室の上部に墓碑及び香炉等から成る祭壇を設備し、祭壇の正面に墓参用の階段を設置し、墓域全体を外柵により囲んだ既設の墓所設備において、身体的弱者にかかる墓参時の負担を軽減可能にする改修方法であって、
墓域正面左右の門柱を撤去するとともに、墓参用の階段を撤去して、祭壇の正面に基礎コンクリートから成る正面広場となるスペースを確保する第１工程、
納骨室左右両側面の部分を撤去し、上記正面広場に通じる後部空所を得る第２工程、
納骨室正面の前板を撤去したのち、左右の外柵に達する左右方向の幅を有する仕切り材と交換し、それにより上記正面広場となるスペースと後部空所とを区画する第３工程、
外柵とほぼ同程度に狭幅の部材を用いて、墓域正面左右の外柵に門柱を設置し、かつ、正面広場となるスペースに敷石を張り付ける仕上げのための第４工程、
を経て施工する墓所設備における改修方法。
【請求項２】
正面広場となるスペースに通じる後部空所を得る、第２工程の後工程において、接合部材を用いて、耐震性向上の補強をするために、露出させた外柵の内側面にて構成部材同士を接合する補強工程を経る
請求項１記載の墓所設備における改修方法。
【請求項３】
墓域正面左右の外柵に門柱を設置し、かつ、上記門柱に燈明台装置を設置するようにした
請求項１記載の墓所設備における改修方法。
【発明の詳細な説明】
【技術分野】
【０００１】
本発明は、納骨室の上部に墓碑及び香炉等から成る祭壇を設備し、祭壇の正面に墓参用の階段を設置し、墓域全体を外柵により囲んだ既設の墓所設備において、身体的弱者にかかる墓参時の負担を軽減可能にする改修方法に関するものである。
【背景技術】
【０００２】
墓所、とりわけ仏教徒用の多くの墓所では、納骨室の上部に、墓碑や香炉等から成る祭壇を構成する設備が普及している。この種の墓所では、主として地上部に納骨室を設置しており、祭壇を納骨室の上部に立ち上げる構成になっているため、祭壇の正面に墓参用の階段を設置し、参拝者を祭壇正面まで誘導するように設備されている。例えば、登録実用新案第３０４２９５０号にそのような例を見ることができるが、この一般的な墓所設備の場合、納骨室を塞いで祭壇基盤となる蓋石の高さは地上から数十センチである。
【０００３】
図１を参照して具体的に説明すると、１１は基礎を示しており、通常はコンクリートを打設して形成されている。１２は墓石で、納骨室の天井として、祭壇基盤となる蓋石１３の上に立設されており、墓石正面の前方には、香炉１４、花立て１５、水鉢１６などが配置され、墓域全体は外柵１７により囲まれている。祭壇の正面には墓参用の階段１８が設置され、敷石などから成る参拝平面１９へと誘導しているが、数十センチの高さを上るためには三段程度の階段１８を設ける必要がある。左右の外柵１７Ｌ、１７Ｒは墓所の正面方向にのびて、左右の門柱２０Ｌ、２０Ｒに達している。
【０００４】
門柱２０Ｌ、２０Ｒは、従来の典型的な墓所では、重みを与えるために太い角柱から成っており、このため墓所の入り口は左右から狭められることになり、各門柱２０Ｌ、２０Ｒには置き灯籠２１Ｌ、２１Ｒを載せたものも見受けられる。また、図２に示すように、灯篭２１を参拝平面１９に設置したものもあり、この場合、左右の門柱２０Ｌ、２０Ｒの上に空間を狭めるものを配置する必要はないが、門柱自体が入り口を狭めている。この種の墓域面積の標準的な広さが一坪程度であることを考慮すると、図１又は図２に示した上記の墓所設備において、参拝平面に入れるのは一人ないし二人程度に限られる。
【０００５】
近年は、平均寿命の伸びを反映して高齢者数が著しく増大し、八十歳ないし九十歳代の参拝者もそれに比例して増えているが、このため足腰の弱い者に対して相応の対応が必要になるという問題が生じる。これに対し、従来の墓所設備では、参拝平面へ足を運ぶために数段の階段１８を上らねばならず、しかも上った参拝平面１９は狭いため、高齢者の介助にも支障を来たす状況である。しかも、参拝者は祭壇の前にしゃがみ込むようにして、線香を手向け、かつ、拝礼をすることになる。一人で行動可能な高齢者等の場合ですら、上記のような状況であるのに、車いすでなければ移動できない者もおり、また、幼児を伴うケースも少なくないのであるから、墓所設備の改善についてより多くの注意が払われるべきであろう。
【０００６】
このような状況に対し、上記の様々な事項を考慮しつつ墓所設備の改善を進めて行くことは、墓所設備を新たに施工する場合には十分可能であろうと思われる。しかしながら、既に整っている墓所設備の場合、階段１８や各種灯篭２１があり、かつ、参拝平面１９が狭いというような問題を解消することは容易ではなく、新たに施工する場合よりも却って困難が伴う。既設の墓所設備を傷付けてはならず、既存設備の石材を活かしつつ新しい石材を組み合わせ、全体の調和も図らなければならない。
【０００７】
【特許文献１】登録実用新案第３０４２９５０号
【発明の開示】
【発明が解決しようとする課題】
【０００８】
本発明は前記の実情に鑑みてなされたもので、その課題は、既設の墓所設備をできるだけ活用して、墓参時に身体的弱者にかかる負担が軽減されるような形態に墓所設備を改修することである。また、本発明の他の課題は、改修前の墓所設備と比較して、より安全性の高い墓所設備を提供することである。
【課題を解決するための手段】
【０００９】
前記の課題を解決するため、本発明は、納骨室の上部に墓碑及び香炉等から成る祭壇を設備し、祭壇の正面に墓参用の階段を設置し、墓域全体を外柵により囲んだ既設の墓所設備において、身体的弱者にかかる墓参時の負担を軽減可能にする改修方法について、墓域正面左右の門柱を撤去するとともに、墓参用の階段を撤去して、祭壇の正面に基礎コンクリートから成る正面広場となるスペースを確保する第１工程、納骨室左右両側面の部分を撤去し、上記正面広場に通じる後部空所を得る第２工程、納骨室正面の前板を撤去したのち、左右の外柵に達する左右方向の幅を有する仕切り材と交換し、それにより上記正面広場となるスペースと後部空所とを区画する第３工程、外柵とほぼ同程度に狭幅の部材を用いて、墓域正面左右の外柵に門柱を設置し、かつ、正面広場に敷石を張り付ける仕上げのための第４工程、を経て施工するという手段を講じたものである。
【００１０】
本発明の対象となる墓所設備では、地上部に納骨室を設置した構造のものが主たる対象である。土葬時代の墓所設備と異なり、火葬を前提とする墓所設備では地上部に納骨室が配置され、相対的に祭壇の位置が高くなっている。本発明はこの高低差を利用し、祭壇を高いままとして、相対的に低い位置により広い正面広場を設定し、参拝者をしゃがみ込む姿勢から解放し、より広い正面広場に立ったままの姿勢でも参拝し易くするものである。例えば、正面広場を囲む左右の外柵は数十センチ余りの高さがあるので、立ったまま正面広場に入ることができるなら手摺として使用することもできる。即ち、本発明は、既設の墓所設備を有効に利用するという基本的な発想を有している。
【００１１】
本発明の改修方法は、正面広場となるスペースを確保する第１工程、後部空所を得る第２工程、上記正面広場となるスペースと後部空所とを区画する第３工程及び仕上げのための第４工程を基本的構成として有している。第１工程では、墓域正面左右の門柱を撤去するとともに、墓参用の階段を撤去するので、該当する墓域の範囲において、最大限の広さの正面広場となるスペースを確保することができる。第２工程では、納骨室左右両側面の部分を撤去することで、作業用の空所となる後部空所を確保することができる。第３工程は、従来納骨室の正面を閉じるのみであった前板を仕切り材と交換することで、前板と仕切りを同時に施工するものである。第４工程では、必要最小限度の大きさの門柱を立て、また、段差を設けずに敷石の施工を行なう。
【００１２】
本発明の改修方法では、正面広場となるスペースに通じる後部空所を得る、第２工程の後工程において、接合部材を用いて耐震性向上の補強をするために、接合部材を用いて露出させた、外柵の内側面にて構成部材同士を接合する補強工程を経ることが望ましい。第２工程によって、納骨室回りが全て露出することとなるが、その際に露出した外柵等の構成部材を相互に接合する工程を経ることにより、耐震性を付与することができる。補強工程自体の作業量は僅かなものであるが、耐震工事のみを行なうとすれば大掛かりとなるのに対して、本発明の方法によれば、改修の一環として実施できるので有効性も高い。
【００１３】
さらに本発明の改修方法では、墓域正面左右の外柵に門柱を設置し、かつ、上記門柱に燈明台装置を設置するという施工を併せて行うことができる。本件発明者は、燈明台装置を設置する墓所設備について、新たに施工することを前提とする装置発明を完成し、出願も行っている。燈明台装置を追加することは、本発明の改修方法を行なう際にも施工可能であり、既設の墓所設備に燈明台を新たに付与することにより機能性をより高めることができる。
【発明の効果】
【００１４】
本発明は以上のように構成され、かつ、作用するものであるから、既設の門柱と階段及び納骨室の前板を撤去する以外は既設の墓所設備を活用し、広い正面広場を持ち、いわゆるバリヤフリーの構造を持ち、参拝者がしゃがみ込んで参拝するなどの無理をする必要のない墓所設備に改修することができ、墓参時に身体的弱者にかかる負担を著しく軽減することが可能になるとともに、機能性をも高められるという効果を奏する。また、本発明によれば、改修前の墓所設備と比較して、墓参時に身体的弱者にかかる身体的負担を著しく軽減することができ、さらに、地震等の災害時にあっては、墓所設備の倒壊防止についても効果があり、参拝時の安全性及び災害等に対する安全性をより高めることができる。
【発明を実施するための最良の形態】
【００１５】
以下、図示の実施形態を参照して本発明をより詳細に説明する。図１及び図２は、本発明に係る改修方法を適用する前の従来の墓所設備であり、その具体的構成は前述した通りのものである。本発明の墓所設備における改修方法は、図１又は図２に示したような既設の墓所設備について改修工事を行うための方法である。
【００１６】
<第１工程>
第１工程は、墓域正面左右の門柱ないしは左右の外柵部分を撤去するとともに、墓参用の階段を撤去し、祭壇の正面に正面広場となるスペースを確保することを目的とする。上記スペースは、基礎コンクリートから成っている。図１及び図２に記載されている既設の墓所設備を基本とすると、まず、左右の門柱２０Ｌ、２０Ｒが撤去されるが、これにより、左右の外柵１７Ｌ、１７Ｒの前端が開放される（図３参照）。なお、図１の例の場合は、あらかじめ、置き灯篭２１Ｌ、２１Ｒを取り除いてから門柱２０Ｌ、２０Ｒを撤去する。図２の例の場合は、左右の門柱２０Ｌ、２０Ｒを撤去するとともに、その後で、灯篭２１を取り除く。
【００１７】
次いで、階段１８が撤去される。階段１８の敷石の下には土砂が充填されているので、この工程では階段や敷石の撤去とともに、土砂を取り除く作業を伴う。また、最上段の参拝平面１９の敷石の下にも同様に土砂が充填されているので、敷石の撤去とともに、土砂を取り除く作業が行なわれる。この工程では土砂との接触、吸水により石材に変色等の異常が生じていないかを確認する作業も必要であり、変色等の異常が顕著で、しかも本発明による改修後の墓所設備として、外部に露出する可能性のある場合は、該当箇所に貼り石を敷設するなどして、適宜の補修を行う。
【００１８】
＜第２工程＞
第２工程では、納骨室左右両側面の部分を撤去し、第３工程で形成される正面広場となるスペース２４に通じる後部空所を得ることが目的になる。図示の例では、納骨室２２の左右両側に後部空所が形成されるので、それらを符号２３Ｌ、２３Ｒで示す。左右両側の後部空所２３Ｌ、２３Ｒは土砂を埋め戻さずに、空所のままとする選択もあり得ないではないが、埋め戻しておいた方が良いであろう。後述する補強工事を行うときには、埋め戻しにより、使用された補強金具が土中に隠れ、また、構成石材相互の安定性の面でも好ましい。上記第１工程及び第２工程を経ることによって、既設の墓所設備から、本発明の改修方法では必要とされない全ての石材等が取り除かれた状態となる（図３）。
【００１９】
このように、コンクリートの基礎１１上に設置されている、納骨室２２とその上部に設備されている墓石１２及び香炉１４、花立て１５、水鉢１６などから成る祭壇、外柵１７等の既設の墓所設備構成部材は全てそのまま残され、かつ、引き続き使用される。但し、使用される石材に甚だしい汚れや損傷等の不具合が見出されたときは、洗浄、再研磨、上記貼り石もしくは石材の交換などによる補修も行なわれる。なお、外柵１７の構成材について付言すると、これは下から腰石又は立石１７ａ、中間のナラシ石１７ｂ、その上の羽目石１７ｃと呼ばれる構成石材から成っており、一般的には、ナラシ石１７ｂの高さが従来の参拝平面の数十センチの高さになっている。
【００２０】
＜補強工程＞
補強工程は、正面広場となるスペース２４に通じる、後部空所２３Ｌ、２３Ｒを得る第２工程の後工程において、接合部材２５を用いて、耐震性向上の補強をするために、露出させた外柵１７の内側面にて構成部材同士を接合する工程である。図４に示す如く、接合部材２５は、例えば、Ｌ字型の補強金具から成り、ボルト等の結合部材を用いて外柵１７の背面板１７Ｂと左右の外柵１７Ｌ、１７Ｒとを結合するものである。前方の接合部材２５は次工程において設置する仕切り材２６と、左右の外柵１７Ｌ、１７Ｒとを結合し、全体を一体化して、閉じた四辺形が形成されるように設けられている。前記土砂により埋め戻すときは、閉じた四辺形の内部に対して行う。
【００２１】
＜第３工程＞
第３工程は、納骨室正面の前板２２ａ（図３参照）を撤去するとともに、左右の外柵１７Ｌ、１７Ｒに達する左右方向の幅を有する横長の板状の仕切り材２６と交換し、それにより後部空所２３Ｌ、２３Ｒと上記正面広場となるスペース２４とを区画する工程である。なお、本発明は補強工事を施工しないものを含む。図５の例は接合部材２５を図示していない場合である。第３工程により納骨室２２の周囲が囲まれた状態となるが、補強工事後に埋め戻しを行うときには、この時点で後部空所２３Ｌ、２３Ｒを土砂により埋め戻しておくものとする。
【００２２】
＜第４工程＞
第４工程は、外柵１７Ｌ、１７Ｒとほぼ同程度に狭幅の部材を用いて、墓域正面左右の外柵に門柱２７Ｌ、２７Ｒを設置し（図５参照）、かつまた、敷石を張り付けて仕上げを行なうための工程である。門柱２７Ｌ、２７Ｒは、外柵１７Ｌ、１７Ｒと同じく狭幅の或いは薄い石材から成っているが、図示の例の場合、仕切り材２６よりも前方の部分の内側に貼り石３０を貼り付けている。そして、門柱２７Ｌ、２７Ｒも、下部２７ａ、２７ｂにおいて、貼り石３０を設けた分だけ僅かに肉厚に形成されているが、貼り石３０の厚さは、一枚構成の場合でも１．５〜４センチ程度であり、正面広場となるスペース２４が狭められるというほどではない。なお、貼り石３０を複数個の部材（小片、タイル）によって構成することも可能である。
【００２３】
上記の門柱２７Ｌ、２７Ｒは、左右の外柵１７Ｌ、１７Ｒよりもやや丈が高く形成されており、その上端部に燈明台装置３１が組み込まれている。燈明台装置３１は、左右の門柱２７Ｌ、２７Ｒの正面上端部の内部を刳り抜いて、燈明台を出し入れできるように設けたものであるが、同時に、或る程度は高さを確保することで、門としての存在感も与えている。その燈明台装置３１は、各門柱２７Ｌ、２７Ｒの内側に開閉手段３１ａを設けるとともに、正面に燈明の光が外部に放射されるように窓部３１ｂを設けて構成されている。なお、左右の門柱２７Ｌ、２７Ｒを設置する際に、図５に示すように、敷居石３３を設置することができる。
【００２４】
さらに本発明では、後部空所２３Ｌ、２３Ｒ及び正面広場となるスペース２４をそれぞれ埋めるように、葺き石２８Ｌ、２８Ｒを貼り付け、かつまた、スペース２４に敷石２９を敷きつめて仕上げが施される（図６参照）。このようにして敷石２９で覆われた正面広場３２が形成されるので、その高さは地面Ｇと殆ど変らない（図８参照）。しかし、全ての面を敷石で覆い尽くす必要はなく、適宜、玉砂利などを併用できることは当然である。一方、高さを低くしたために外部の汚れが正面広場３２内に入り込み易くなるので、正面に前記の敷居石３３を設置することが望まれる。そこで、本発明は、バリヤフリーの趣旨から、敷居石３３は極力低く敷石２９と同一平面となるようにし、かつ、躓き難いように角を整形するものとする。
【００２５】
なお、図６の例では、左右の門柱２７Ｌ、２７Ｒを一個の石材を用いて形成したものを示したが、石材は二個に分割した２個の門柱部材２７ｃ、２７ｄから成る構造とすることができるので、この例を図７に示す。これは石材が一個か複数個かという問題ではなく、石材の重量を職人の作業能力に見合ったものとするという要請による。門柱２７Ｌ、２７Ｒを上記二個に分割する場合には、下位の石材をナラシ石１７ｂ程度の高さとすると、上記の要請にも合致し、かつ、職人一人で作業可能な範囲の重量となり、クレーンを用いる必要がなく好都合なのである。
【００２６】
このようにして改修された墓所設備１０は、図６ないし図８に示される構造を有するものである。図８に示した如く、本発明の墓所設備における改修方法によれば、墓域全体を外柵により囲んだ既設の墓所設備において、ほぼ最大限度の広さの正面広場３２が形成されるとともに、周囲の地面Ｇとの段差が最小限度に抑制されていることが明確に把握できるであろう。図８において、２９ａは敷きモルタルの類であり、敷石２９を据えるために設けられている。
【００２７】
従って、本発明による改修方法を経た墓所設備１０では、従来は必須であった階段１８が無く、最小限度の高さの敷居石３３を越えるだけで正面広場３２に入ることができる。故に、参拝者は、改修前の参拝平面１９に入れるのが精々１、２名であったのに比較すると倍以上の５、６人程度を受け入れ得る余地がある。例えば、車いすに乗ったままでも、或いは、乳幼児を抱いていても難なく正面広場３２に出入りし、かつ、全く無理のない姿勢で参拝することができるので、身体的弱者にかかる墓参時の負担が著しく軽減される。また、左右の外柵１７Ｌ、１７Ｒや門柱２７Ｌ、２７Ｒは手摺としても使用可能であり、後部空所を覆う葺き石２８Ｌ、２８Ｒは一時的に物品を置く棚としても利用し得るので、非常に快適に墓参をすることができるようになる。本発明に係る墓所設備における改修方法は、以上のように構成され、かつ、作用するものであるから、墓所設備の改修、また、リモデル、リフォームなどとして、既設の墓所設備を最少に近い費用で参拝に好適な環境に作り変えることを可能にするものである。
【図面の簡単な説明】
【００２８】
【図１】本発明に係る墓所設備における改修方法の対象となる従来の墓所設備の一例を示す斜視図である。
【図２】同じく従来の墓所設備の他の例を示す斜視図である。
【図３】本発明の改修方法における第１工程と第２工程を経た墓所の状態を示す斜視図である。
【図４】同じく補強工程の例を示す部分正面図である。
【図５】同じく第３工程を経た状態を示す斜視図である。
【図６】同じく第４工程を経た状態を示す斜視図である。
【図７】同じく本発明において取り得る変形例を示す分解斜視図である。
【図８】同じく本発明により改修された墓所設備の一例を示す断面図である。
【符号の説明】
【００２９】
１０  改修された墓所設備
１１  基礎
１２  墓石
１３  蓋石
１４  香炉
１５  花立て
１６  水鉢
１７、１７Ｂ、１７Ｌ、１７Ｒ  外柵
１８  改修前の階段
１９  改修前の参拝平面
２０Ｌ、２０Ｒ  改修前の門柱
２１、２１Ｌ、２１Ｒ  灯篭
２２  納骨室
２３Ｌ、２３Ｒ  後部空所
２４  正面広場となるスペース
２５  接合部材
２６  仕切り材
２７Ｌ、２７Ｒ  左右の門柱
２８Ｌ、２８Ｒ  葺き石
２９  敷石
３０  貼り石
３１  燈明台装置
３２  正面広場
３３  敷居石
【図１】
2014084693.tif 000003
【図２】
2014084693.tif 000004
【図３】
2014084693.tif 000005
【図４】
2014084693.tif 000006
【図５】
2014084693.tif 000007
【図６】
2014084693.tif 000008
【図７】
2014084693.tif 000009
【図８】
2014084693.tif 000010